(57)【要約】【課題】軟弱地盤においても既設のシールドトンネルを容易に拡幅する。【解決手段】既設のシールドトンネル１の側壁の一部を、トンネル１の半径方向に押出可能な少なくとも一つの押出セグメント２からなる押出セグメント部２０，２０Ａ，２０Ｂ，２０Ｃ，２０Ｄを軸方向に複数並べることで形成する。そして、これら押出セグメント部２０，２０Ａ，２０Ｂ，２０Ｃ，２０Ｄ毎に、押出セグメント部２０，２０Ａ，２０Ｂ，２０Ｃ，２０Ｄの内壁側の周縁部２１に、押出方向と逆方向に突出する筒状部６１，６２を接合して箱状のブロック体６０，６０Ａ，６０Ｂ，６０Ｃ，６０Ｄを形成する。次いで、ブロック体６０，６０Ａ，６０Ｂ，６０Ｃ，６０Ｄを半径方向に既設のシールドトンネル１の側壁からそれぞれ押し出す。そして、これらを軸方向に連接し、連接することで形成されるブロック体６０，６０Ａ，６０Ｂ，６０Ｃ，６０Ｄどうしを仕切る仕切り壁部７を撤去して、柱８を設ける。【選択図】　　　　図６
2004027711.tif 000002
【特許請求の範囲】
【請求項１】
既設のシールドトンネルを拡幅するトンネルの拡幅工法において、
既設のシールドトンネルの側壁の一部を構成し、且つ前記シールドトンネルの外方に押出可能な少なくとも一つの押出セグメントからなる押出セグメント部の内壁側の周縁部に、押出方向と逆方向に突出する筒状部を接合して箱状のブロック体を形成し、
次いで、前記ブロック体を前記シールドトンネルの外方に押し出すことを特徴とするトンネルの拡幅工法。
【請求項２】
前記シールドトンネルの外方に押し出された前記ブロック体の後端部を、前記押出セグメント部が移動することで前記シールドトンネルの側壁に形成された開口部に接合することを特徴とする請求項１記載のトンネルの拡幅工法。
【請求項３】
押出セグメント部には、外面側から内面側にずりを取り込む取り込み口が形成されていることを特徴とする請求項１または２記載のトンネルの拡幅工法。
【請求項４】
請求項１〜３のいずれか一項に記載のトンネルの拡幅方法を用いてトンネルの拡幅部を形成するトンネル拡幅部の形成方法において、
前記既設のシールドトンネルの側壁は、トンネルの軸方向に複数並べられた前記押出セグメント部を有し、
これら押出セグメント部を、それぞれ押出セグメント部毎に、前記押出セグメント部の内壁側の周縁部に、押出方向と逆方向に突出する筒状部を接合して箱状のブロック体を形成して、前記シールドトンネルの外方に押し出し、
次いで、押し出した複数のブロック体を軸方向に連接し、
次いで、連接されたブロック体どうしの、互いに当接して前記ブロック体どうしを仕切る筒状部の側壁部分を撤去して、前記複数のブロック体の内部を軸方向に連通させることで前記既設のシールドトンネルの坑内と内部が連通する箱状のトンネル拡幅部を形成することを特徴とするトンネル拡幅部の形成方法。
【請求項５】
前記筒状部の側壁部分を撤去した後、
前記トンネル拡幅部の、前記側壁部分が撤去された部分に柱を設けることを特徴とする請求項４記載のトンネル拡幅部の形成方法。
【発明の詳細な説明】
【０００１】
【発明の属する技術分野】
本発明は、既設のシールドトンネルの拡幅工法及び、この拡幅工法を用いたトンネル拡幅部の形成方法に関する。
【０００２】
【従来の技術】
従来、地下鉄の駅のホーム等を構築する場合、地下鉄の本線となる本線トンネルをシールド機などにより構築し、この構築されたシールドトンネルの所定の部分を拡幅する。
この拡幅工法としては、既設トンネルの所定の部位、つまり拡幅する部位の周囲の地盤改良を行い、前記拡幅する部位のセグメントを既設トンネルの内部より取り壊して拡幅するように掘削した後、掘削部分を覆工する工法が一般的である。例えば、特開２００１−８２０７１に開示の技術では、既設トンネルの一方の側の覆工を解体撤去するとともにその外側を掘削することにより、既設トンネルをその一方の側にのみ拡幅している。
【０００３】
【発明が解決しようとする課題】
しかし、上述したように、既設トンネルの拡幅すべき部分を構成するセグメントを取り壊して、外部の地山を掘削して拡幅する工法では、軟弱地盤を掘削する場合は特に地盤改良作業を行う必要があるとともに、既設セグメントの補強などの補助作業を行う必要があり手間がかかっていた。
本発明の課題は、軟弱地盤においても既設のシールドトンネルを容易に拡幅することである。
【０００４】
【課題を解決するための手段】
以上の課題を解決するため、請求項１記載の発明は、例えば、図１に示すように、既設のシールドトンネル１を拡幅するトンネルの拡幅工法において、
既設のシールドトンネル１の側壁の一部を構成し、且つ前記シールドトンネルの外方に押出可能な少なくとも一つの押出セグメント２からなる押出セグメント部２０の内壁側の周縁部２１に、押出方向と逆方向に突出する筒状部６１，６２を接合して箱状のブロック体６０を形成し、
次いで、前記ブロック体６０を前記シールドトンネルの外方に押し出すことを特徴とする。
【０００５】
請求項１記載の発明によれば、既設のシールドトンネルの側壁の一部を構成する押出セグメント部の内壁側の周縁部に、押出方向と逆方向に突出する筒状部を接合して形成した箱状のブロック体を前記シールドトンネルの外方に押し出すので、前記シールドトンネル１の側壁から前記箱状のブロック体が、内部を前記シールドトンネルの坑内と連通させた状態で突出し、これにより、前記ブロック体が突出した部分、シールドトンネル坑内が広くなる。
したがって、前記押出セグメント部に前記筒状体を接合して前記シールドトンネルの外方に押し出すだけで、前記側壁を取り壊したり、地盤改良を行うことなく、シールドトンネル坑内にて、該シールドトンネル坑内を容易に拡幅することができ、軟弱地盤においてもシールドトンネルの拡幅作業を容易に行うことができる。
【０００６】
請求項２記載の発明は、請求項１記載のトンネルの拡幅工法において、例えば、図１に示すように、前記シールドトンネルの外方に押し出された前記ブロック体の後端部を、前記押出セグメント部が移動することで前記シールドトンネルの側壁に形成された開口部に接合することを特徴とする。
【０００７】
請求項２記載の発明によれば、前記シールドトンネルの外方に押し出された前記ブロック体の後端部を、前記押出セグメント部が移動することで前記シールドトンネルの側壁に形成された開口部に接合するので、押し出させたブロック体の後方の前記シールドトンネル内空間に、ブロック体の略全体の内部空間が連通した状態となり、前記シールドトンネルを好適に拡幅することができる。
【０００８】
請求項３記載の発明は、請求項１または２記載のトンネルの拡幅工法において、例えば、図５に示すように、押出セグメント部２０には、外面側から内面側にずりを取り込む取り込み口２２が形成されていることを特徴とする。
【０００９】
請求項３記載の発明によれば、押出セグメント部には、外面側から内面側にずりを取り込む取り込み口が形成されているので、前記押出セグメント部に筒状部を接合した後、既設のシールドトンネルの側壁から外方に押し出す際に、前記押出セグメント部をブラインド式シールドの隔壁として、前記取り込み口からずりを取り込みながら押し出すことができ、その押出作業を好適に行うことができる。
【００１０】
請求項４記載の発明は、請求項１〜３のいずれか一項に記載のトンネルの拡幅方法を用いてトンネルの拡幅部を形成するトンネル拡幅部の形成方法において、例えば、図１〜図７に示すように、
前記既設のシールドトンネル１の側壁は、トンネルの軸方向に複数並べられた前記押出セグメント部２０を有し、
これら押出セグメント部を、それぞれ押出セグメント部毎に、前記押出セグメント部の内壁側の周縁部に、押出方向と逆方向に突出する筒状部６１，６２を接合して箱状のブロック体６０を形成して、前記シールドトンネルの外方に押し出し、
次いで、押し出した複数のブロック体を軸方向に連接し、
次いで、連接されたブロック体どうしの、互いに当接して前記ブロック体どうしを仕切る筒状部の側壁部分（例えば仕切り壁部７）を撤去して、前記複数のブロック体の内部を軸方向に連通させることで前記既設のシールドトンネルの坑内と内部が連通する箱状のトンネル拡幅部９を形成することを特徴とする。
【００１１】
請求項４記載の発明によれば、前記既設のシールドトンネルの側壁部を構成し、且つ、トンネルの軸方向に複数並べられた押出セグメント部を、それぞれ押出セグメント部毎に、前記押出セグメント部の内壁側の周縁部に、押出方向と逆方向に突出する筒状部を接合して箱状のブロック体を形成して、前記シールドトンネルの外方に押し出して、押し出した複数のブロック体を軸方向に連接した後、連接されたブロック体どうしの、互いに当接して前記ブロック体どうしを仕切る筒状部の側壁部分を撤去して、前記複数のブロック体の内部を軸方向に連通させて前記箱状のトンネル拡幅部を形成するので、前記複数のブロック体により、前記トンネルの軸方向に延在し且つ前記既設のシールドトンネル坑内と連通するトンネル拡幅部を容易に形成することができる。つまり、軟弱地盤においても、既設のシールドトンネルの側壁を取り壊すことなく、さらに地盤改良を行うことなしに、シールドトンネル坑内にて、該シールドトンネル坑内と連通するトンネル拡幅部を容易に形成することができる。
【００１２】
請求項５記載の発明は、請求項４記載のトンネル拡幅部の形成方法において、例えば図７に示すように、前記筒状部の側壁部分を撤去した後、
前記トンネル拡幅部９の、前記側壁部分が撤去された部分に柱８を設けることを特徴とする。
【００１３】
前記トンネル拡幅部の、前記側壁部分が撤去された部分に柱を設けるとは、具体的には、前記側壁部分の上下端部が接合されていた前記トンネル拡幅部の部位間に、これら部位に上下端部を接合するように柱を立設することである。
【００１４】
請求項５記載の発明によれば、前記トンネル拡幅部の、前記側壁部分が撤去された部分に柱を設けるので、前記柱により、撤去された側壁部分に代えて、内部を軸方向に連通させた状態で前記複数のブロック体を支持することができる。つまり、前記トンネル拡幅部を前記既設のシールドトンネルと連通した状態で支持することができる。
【００１５】
【発明の実施の形態】
以下、図１〜図７を参照して本発明の実施の形態を詳細に説明する。
図１（ａ）に示すように、まず、図示しないシールド機を用いて穴を掘進し、さらに、シールド機内で、鋼製やコンクリート製のセグメントを円環状に組み立ててなるセグメントリングを形成し、このセグメントリングを長手方向に連続して組み立てていくことで本線のシールドトンネル１を構築する。なお、本実施の形態のシールドトンネル１は軟弱地盤内に構築されている。
【００１６】
このシールドトンネル１では、図１（ｂ）及び図２に示すように、軸方向と直交する方向に拡幅される部位Ｋを含む側壁を、トンネル１の外方、ここでは半径方向に押出可能な押出セグメント２と、本体セグメント部３とでなるセグメントリング１１をトンネル軸方向に接続することで形成している。なお押出セグメント２はここでは鋼製セグメントで形成しているが、これに限らずコンクリート製のものでもよい。
【００１７】
セグメントリング１１は、それぞれ押出セグメント２が軸方向に隣接するように配置され、軸方向で隣り合う３つの押出セグメント２ごとで、押出セグメント部２０を形成している。なお、押出セグメント２は、平面視矩形状で且つ断面視円弧状に形成されているとともに、外面側と内面側とを連通する取り込み口２２が形成されている（図５参照）。これら軸方向に隣りあう３つの押出セグメント２どうしでなる押出セグメント部２０の内壁側の周縁部は、押出方向と直交する平面部２１が形成されている（図２参照）。
そして、図１（ｂ）に示すように、セグメントリング１１を有する既設のシールドトンネル１内において、シールドトンネル１の側壁のうち、拡幅される部分、つまり、押出セグメント部２０に対向した位置に、推進架台４を組み立てて設置する。この推進架台４は、シールドトンネル１の拡幅すべき側壁部分Ｋに対向する側壁部１ｂに当接した状態で固定される本体部４１と、この本体部４１を介してシールドトンネル１から反力をとって、本体部４１から前記掘削すべき側壁部分に向かって進退動するロッド４２ａを備えた推進ジャッキ４２とを備える。
【００１８】
また、図３（ａ）に示すように、押出セグメント部２０の内壁面側の周縁部である平面部２１に、周壁セグメント６の先端部を取り付けていくことで、押出セグメント部２０に接合され、押出方向と逆方向に突出する矩形枠状の筒状部６１を形成する。
次いで、図３（ｂ）に示すように、推進ジャッキ４２のロッド４２ａの先端部を周壁セグメント６からなる筒状部６１の軸心側の端面（後端部）６１ａに当接させてから、伸ばすことで、押出セグメント部２０をシールドトンネル１の側壁から半径方向に押し出して、シールドトンネル１の外周面から外方に突出させる。
このとき、筒状部６１の端面６１ａの位置は、シールドトンネル１坑内において最も押出方向寄りの位置、つまりセグメント部２０が押し出された後にシールドトンネル１の側壁に形成される開口部の周縁部１０と連続するような位置となっている。
【００１９】
さらに、先端部で押出セグメント部２０と接合された筒状部６１を押し出す際には、押し出す際の先端面となる押出セグメント部２０には筒状部６１が接合されることで箱状のものとなっており、且つ、押出セグメント２にはそれぞれ取り込み口２２が形成されているので、押出セグメント部２０及び筒状部６１は、ブラインド式シールドとして機能し、押出セグメント２は隔壁となって、取り込み口２２からずりをシールドトンネル１坑内に引き入れつつ、筒状部６１を開口部の周縁部１０に沿って摺動させながら好適に押し出すことができる。
【００２０】
そして、推進ジャッキ４２のロッド４２ａを後退させて、押出方向である半径方向に移動された筒状部６１とロッド４２ａとの間にスペースを形成し、このスペースを利用して、既設の筒状部６１に次の周壁セグメント６’を筒状に接合して組み立てて既設の筒状部６１に連接された状態の第２筒状部６２を形成する（図４（ａ）参照）。このように筒状部６１のシールドトンネル１の軸心側の端面（後端部）６１ａに第２筒状部６２を取り付けることで図５に示す箱状のブロック体６０が形成される。なお、この実施の形態では、２つの筒状部６１，６２を押出セグメント部２０に接続することでブロック体６０を構成したがこれに限らず、一つの筒状部を押出セグメント部２０に接合してブロック体を形成してもよく、３つ以上の筒状部を押出セグメント部２０に接続することで箱状のブロック体を形成してもよい。
【００２１】
次いで、図４（ｂ）に示すように、第２筒状部６２の軸心側の端面（筒状部の後端部）６２ａにジャッキ４２のロッド４２ａの先端部を当接させて、ジャッキ４２の駆動により、第２筒状部６２を押出方向に押し出す。
このとき、ブロック体６０は上述したように、ブラインド式シールドとしての機能を有し、押し出す際の先端面となる押出セグメント部２０が隔壁となり、押出セグメント２の取り込み口２２からずりをトンネル坑内に引き入れつつ、第２筒状部６２を開口部の周縁部１０に沿って摺動させながら押し出し、第２筒状部６２の軸心側の端部６２１を、押出セグメント部２０が押し出された後にシールドトンネル１の側壁に形成される開口部の周縁部１０に隣接するように配置し、これらを接合する（図１（ｃ）参照）。
【００２２】
次いで、推進架台４を次のセグメント部、つまり、押し出されたセグメント部２０に隣接していた次の押出可能に設けられたセグメント部（図１（ｂ）で符号２０Ａで示す）に対して対向配置する。
そして、上記動作を繰り替えすことで、セグメント部２０Ａを底板部とするブロック体６０Ａを形成しつつ、このブロック体６０Ａを半径方向、つまり拡幅方向に押し出して既設のブロック体６０に隣接させ、少なくとも隣接するブロック体６０，６０Ａどうしのセグメント部２０，２０Ａどうし（図６（ａ）参照）と、それぞれの筒状部６１，６２により構成されるブロック体２０，２０Ａの上壁部６０ａどうし、さらに下壁部６０ｂどうしをそれぞれトンネルの軸方向に並ぶように接合する。
【００２３】
図６（ａ）に示すように、シールドトンネル１の拡幅すべき部分で、上記動作を順次繰り返す。つまり、既設のシールドトンネル１の側壁の一部を構成し、且つ軸方向に並べて配置されたセグメント部２０Ｂ，２０Ｃ，２０Ｄを、それぞれ押出セグメント部２０Ｂ，２０Ｃ，２０Ｄ毎に、押出セグメント部２０Ｂ，２０Ｃ，２０Ｄの内壁側の周縁部２１に、押出方向と逆方向に突出する筒状部を接合して箱状のブロック体６０Ｂ，６０Ｃ，６０Ｄを形成して、それぞれ既設のシールドトンネル１の側壁から半径方向に押し出す。
【００２４】
次いで、押し出した複数のブロック体６０Ｂ，６０Ｃ，６０Ｄを上述したブロック体６０，６０Ａと同様に、軸方向に互いに連接する。
次いで、これら押し出されたブロック体６０、６０Ａ…どうしの互いに当接して隣り合う側壁６０ｃ、６０ｄ、つまり、複数のブロック体６０、６０Ａ…においてそれぞれの内部を仕切る仕切り壁部７を撤去し、複数のブロック体６０、６０Ａ…の内部をトンネル軸方向に連通させることで既設のシールドトンネル１の坑内と内部が連通する箱状のトンネル拡幅部９を形成する。
そして、トンネル拡幅部９において、撤去した仕切り壁部７が設けられていた部分、詳細には、仕切り壁部７の上下端部が接続されていたトンネル拡幅部９の内面の開口縁側の上下面部位間に、これら部位に上下端部が接続される柱８を立設する（図６（ｂ）参照）。
【００２５】
この柱８は、図７に示すように、断面視すると既設のシールドトンネル１の外周部の切り欠かれた開口部の周縁部１０の上下間を繋ぐように配設されているとともに、上下端部は、隣接するブロック体６０，６０Ａ…の上壁部６０ａどうし、下壁部６０ｂどうしにそれぞれ跨るように接合され、前記上下面６０ａ，６０ｂを構成する隣り合うセグメントどうしを支持するものとなっている。このようにして、シールドトンネルにおいて所定の区間を拡幅してトンネル拡幅部９を形成し、このトンネル拡幅部９では、隣り合う側壁６０ｃ，６０ｄどうしを撤去した場所に順次、柱８を配設することで支持された状態となる。
【００２６】
したがって、上記方法によれば、押出セグメント部２０の内壁側の平面部２１に、押出方向と逆方向に突出する筒状部を接合して形成した箱状のブロック体６０を半径方向に押し出すので、前記シールドトンネル１の側壁から前記箱状のブロック体６０が、内部を前記シールドトンネル１の坑内と連通させた状態で突出し、これにより、ブロック体６０が突出した部分、シールドトンネル坑内が広くなる。この作業を、既設のシールドトンネル１の側壁部を構成し、且つ、トンネルの軸方向に複数並べられた押出セグメント部２０，２０Ａ，２０Ｂ，２０Ｃ，２０Ｄ毎に繰り返すことで、複数のブロック体６０，６０Ａ，６０Ｂ，６０Ｃ，６０Ｄにより、トンネルの軸方向に延在し且つ前記既設のシールドトンネル坑内と連通するトンネル拡幅部９を容易に形成することができる。つまり、軟弱地盤においても、押出セグメント部２０，２０Ａ，２０Ｂ，２０Ｃ，２０Ｄに筒状部６１，６２をそれぞれ接合して複数のブロック体６０，６０Ａ，６０Ｂ，６０Ｃ，６０Ｄを形成し、これらを半径方向に押し出すだけで、既設のシールドトンネルの側壁を取り壊すことなく、さらに地盤改良を行うことなしに、シールドトンネル１坑内にて、該シールドトンネル１坑内と連通するトンネル拡幅部９を容易に形成することができる。
【００２７】
なお、上記実施の形態では、複数のブロック体６０，６０Ａ，６０Ｂ，６０Ｃ，６０Ｄを全て連接した後、仕切り壁部７を撤去して、柱８を設けることとしたがこれに限らず、全てのブロック体を軸方向に接合する前に、先に押し出されたブロック体に、次のブロック体を押し出して先のブロック体に隣接させた後で、互いに当接して前記ブロック体どうしを仕切る筒状部の側壁部分を撤去して、柱８を設けてもよい。
なお、以上の実施の形態においては、３つの押出セグメント２でセグメント部２０を構成するものとしたが、これに限らず一つの押出セグメントや２つの互いに軸方向に隣接する押出セグメントでセグメント部を構成してもよく、また４つ以上の押出セグメントで前記セグメント部を構成するものとしてもよい。
また、押出セグメント、本体セグメント等の材質等も任意であり、その他、具体的な構成等についても適宜に変更可能であることは勿論である。
【００２８】
【発明の効果】
請求項１記載の発明によれば、前記シールドトンネル１の側壁から前記箱状のブロック体が、内部を前記シールドトンネルの坑内と連通させた状態で突出し、これにより、前記ブロック体が突出した部分、シールドトンネル坑内が広くなり、前記押出セグメント部に前記筒状体を接合して前記シールドトンネルの外方に押し出すだけで、前記側壁を取り壊したり、地盤改良を行うことなく、シールドトンネル坑内にて、該シールドトンネル坑内を容易に拡幅することができ、軟弱地盤においてもシールドトンネルの拡幅作業を容易に行うことができる。
【００２９】
請求項２記載の発明によれば、請求項１記載の発明と同様の効果を得ることができるとともに、押し出させたブロック体の後方の前記シールドトンネル内空間に、ブロック体の略全体の内部空間が連通した状態となり、前記シールドトンネルを好適に拡幅することができる。
【００３０】
請求項３記載の発明によれば、請求項１または２記載の発明と同様の効果を得ることができるとともに、前記押出セグメント部に筒状部を接合した後、既設のシールドトンネルの側壁から外方に押し出す際に、前記押出セグメント部をブラインド式シールドの隔壁として、前記取り込み口からずりを取り込みながら押し出すことができ、その押出作業を好適に行うことができる。
【００３１】
請求項４記載の発明によれば、前記複数のブロック体により、前記トンネルの軸方向に延在し且つ前記既設のシールドトンネル坑内と連通するトンネル拡幅部を容易に形成することができる。つまり、軟弱地盤においても、既設のシールドトンネルの側壁を取り壊すことなく、さらに地盤改良を行うことなしに、シールドトンネル坑内にて、該シールドトンネル坑内と連通するトンネル拡幅部を容易に形成することができる。
【００３２】
請求項５記載の発明によれば、前記トンネル拡幅部の、前記側壁部分が撤去された部分に柱を設けるので、前記柱により、撤去された側壁部分に代えて、内部を軸方向に連通させた状態で前記複数のブロック体を支持することができる。つまり、前記トンネル拡幅部を前記既設のシールドトンネルと連通した状態で支持することができる。
【図面の簡単な説明】
【図１】本発明を適用した一実施の形態のトンネルの拡幅工法を用いたトンネル拡幅部の形成方法の工程を示す図であり、（ａ）は同形成方法により拡幅される既設シールドトンネルの概略平面図、（ｂ）及び（ｃ）は同シールドトンネルの概略平断面図である。
【図２】本発明を適用した一実施の形態のトンネルの拡幅工法を用いたトンネル拡幅部の形成方法の工程を示すシールドトンネルの概略側断面図である。
【図３】本発明を適用した一実施の形態のトンネルの拡幅工法を用いたトンネル拡幅部の形成方法の工程を示すシールドトンネルの概略側断面図である。
【図４】本発明を適用した一実施の形態のトンネルの拡幅工法を用いたトンネル拡幅部の形成方法の工程を示すシールドトンネルの概略側断面図である。
【図５】本発明を適用した一実施の形態のトンネルの拡幅工法を用いたトンネル拡幅部の形成方法の工程を示すシールドトンネルの概略側断面図である。
【図６】本発明を適用した一実施の形態のトンネルの拡幅工法を用いたトンネル拡幅部の形成方法の工程を示す拡幅される既設シールドトンネルの概略平断面図である。
【図７】本発明を適用した一実施の形態のトンネルの拡幅工法を用いたトンネル拡幅部の形成方法の工程を示すシールドトンネルの概略側断面図である。
【符号の説明】
１　　　シールドトンネル
２　　　押出セグメント
３　　　本体セグメント部
７　　　仕切り壁部
８　　　柱
９　　　トンネル拡幅部
１０　　　開口部の周縁部（開口部）
２０，２０Ａ，２０Ｂ，２０Ｃ，２０Ｄ　　　押出セグメント部
２１　　　平面部（押出セグメント部の周縁部）
２２　　　取り込み口
６０，６０Ａ，６０Ｂ，６０Ｃ，６０Ｄ　　　ブロック体
６１　　　筒状部
６２　　　第２筒状部（筒状部）
【図１】
2004027711.tif 000003
【図２】
2004027711.tif 000004
【図３】
2004027711.tif 000005
【図４】
2004027711.tif 000006
【図５】
2004027711.tif 000007
【図６】
2004027711.tif 000008
【図７】
2004027711.tif 000009